(57)【要約】 【課題】  従来技術のバックライト組立体によって引き起こされる１つ、または複数の欠点と制限を排除するバックライト組立体を提供する。【解決手段】  光線を放射する発光光源、およびベース部と前記ベース部から延伸した複数の側壁部を有する反射板を含み、前記側壁部の構造は、１つ、または１つ以上の角度付けされた面を含み、これによって、前記反射板の側壁部の面で前記放射光線を特定の方向に向けて反射するバックライト組立体。【選択図】      図２
2005174910.tif 000002
【特許請求の範囲】
【請求項１】
バックライト組立体であって、
光線を放射する発光光源と、
ベース部と、該ベース部から延伸した側壁部を有する複数の反射板とを含み、
前記側壁部が、断面が多角形の一部を形成するように角度付けされた面を一面以上有し、該角度付けされた面により、前記反射板の側壁部の面において特定方向に向けて前記発光光源からの前記放射光線を反射することを特徴とするバックライト組立体。
【請求項２】
前記発光光源が蛍光管を含むことを特徴とする請求項１に記載のバックライト組立体。
【請求項３】
前記発光光源が冷陰極蛍光管を含むことを特徴とする請求項１に記載のバックライト組立体。
【請求項４】
前記発光光源が発光ダイオードを含むことを特徴とする請求項１に記載のバックライト組立体。
【請求項５】
前記反射板の側壁部の形状が弧状であることを特徴とする請求項１に記載のバックライト組立体。
【請求項６】
前記発光光源と前記反射板とを搭載するフレームを更に含むことを特徴とする請求項１に記載のバックライト組立体。
【請求項７】
前記フレームが、前記反射板の上に設置されるベース部と、前記ベース部から延伸している支持構造体を提供する複数の側壁部と、を更に含むことを特徴とする請求項６に記載のバックライト組立体。
【請求項８】
前記フレームの支持構造体上に設置され、反射板面から反射された光線を受ける拡散板を更に含むことを特徴とする請求項７に記載のバックライト組立体。
【請求項９】
液晶ディスプレイ用バックライト組立体であって、
光線を放射する発光光源と、
断面が多角形の一部を形成し、前記光線を反射する複数箇所において角度付された反射板と、
前記反射板からの反射光を拡散させる拡散板と、
を含むことを特徴とする液晶ディスプレイ用バックライト組立体。
【請求項１０】
請求項９に記載の液晶ディスプレイ用バックライト組立体であって、
断面が多角形の一部を形成し、複数箇所において角度付された前記反射板が、前記発光光源に略平行に配されたベース部と、前記ベース部から延伸する複数の側壁部と、を含み、
前記各側壁部が、前記ベース部に接合され、断面が多角形の一部を形成するように角度付された面を含み、前記光線を前記拡散板に反射させることを特徴とする液晶ディスプレイ用バックライト組立体。
【請求項１１】
前記発光光源が蛍光管を含むことを特徴とする請求項９に記載の液晶ディスプレイ用バックライト組立体。
【請求項１２】
前記発光光源が冷陰極蛍光管を含むことを特徴とする請求項９に記載の液晶ディスプレイ用バックライト組立体。
【請求項１３】
前記発光光源が発光ダイオードを含むことを特徴とする請求項９に記載の液晶ディスプレイ用バックライト組立体。
【請求項１４】
複数角度付された前記面が弧状の面を含むことを特徴とする請求項９に記載の液晶ディスプレイ用バックライト組立体。
【請求項１５】
前記発光光源と、前記反射板を搭載するフレームとを更に含む、ベース部が延在する方向と同一方向に延在している複数箇所において角度付された面を含むことを特徴とする請求項９に記載の液晶ディスプレイ用バックライト組立体。
【請求項１６】
前記フレームが、
前記反射板上に設置されるベース部と、
前記ベース部から延伸され、前記拡散板を支える複数の側壁部と、
を更に含むことを特徴とする請求項１５に記載の液晶ディスプレイ用バックライト組立体。
【請求項１７】
前記拡散板の上に設置される複数の光学薄膜を更に含むことを特徴とする請求項９に記載の液晶ディスプレイ用バックライト組立体。
【請求項１８】
前記拡散板上に設置されたプリズムシートと、
前記プリズムシートの上に設置された拡散板と、を更に含むことを特徴とする請求項９に記載の液晶ディスプレイ用バックライト組立体。
【発明の詳細な説明】
【技術分野】
【０００１】
本発明は、バックライト組立体に関し、さらに詳細には、液晶ディスプレイ用バックライト組立体の反射板（リフレクター）に関するものである。
【背景技術】
【０００２】
液晶ディスプレイ装置は、反射型、透過型、及び半透過型等のディスプレイに分類することができる。反射型液晶ディスプレイ装置では、反射環境光、又は、液晶ディスプレイ装置に入射する太陽光によって画像が表示される。透過型液晶ディスプレイ装置では、例えば蛍光管の光源からの光線を液晶ディスプレイ装置に提供することによって画像が表示される。また、半反射半透過型の半透過型液晶ディスプレイ装置では、例えば、環境光または太陽光の外部光源と、例えば、蛍光管の内部光源からの光線が提供されて画像が表示される。透過型液晶ディスプレイ及び半透過型液晶ディスプレイは、通常液晶ディスプレイパネルを照らすバックライト組立体を含んでいる。
【０００３】
図１は、従来の透過型又は半透過型液晶ディスプレイ装置のバックライト組立体１０の断面を示す。
【０００４】
図１を参照してバックライト組立体１０を以下説明する。
【０００５】
バックライト組立体１０は、蛍光管１２、反射板１４、及び拡散板１６を含む。蛍光管１２から放射された光線は反射板に入射した後、反射板１４によって反射され、拡散板１６を透過する。反射光が、拡散板１６に垂直な角度で拡散板１６を透過し、もって最も大きい強さの光束を供給することが望ましい。しかし、反射板１４は、一般に、ベース部１８と、ベース部１８からθの角度（図１参照；反射光と拡散板とがなす角度）で、ベース部１８が延在する方向であって図面の紙面と垂直方向と同一方向に延在している複数の箇所において図１の断面図において角度付され延伸した側壁部２０とを含む。よって、このような左右一箇所ずつだけ角度付けされた構造の反射板（シングルアングルリフレクター）１４では、これらの側壁部２０によって反射された光線は、拡散板１６の垂直方向に対して大きな角度αで入射するためバックライト組立体１０が提供する光束を低下させることになる。
【特許文献１】「液晶ディスプレイ技術」  産業図書  Ｐ．２５５
【発明の開示】
【発明が解決しようとする課題】
【０００６】
上記問題点に鑑みて、本発明の主な目的は、従来技術のバックライト組立体によって引き起こされるいくつかの欠点と構造上の制限を取り除いた液晶ディスプレイ用バックライト組立体を提供することにある。
【課題を解決するための手段】
【０００７】
上述の目的を達成するため、本発明は、バックライト組立体であって、
光線を放射する発光光源と、ベース部と、断面が多角形の一部を形成し該ベース部から延伸した側壁部を有する複数の反射板（マルチアングルリフレクター）とを含み、前記側壁部が角度付けされた面を一面以上有し、該角度付けされた面により、前記反射板の側壁部の面において特定方向に向けて前記発光光源からの前記放射光線を反射することを特徴とするバックライト組立体を提供する。
【０００８】
さらに、本発明は、前記発光光源が蛍光管を含むことを特徴とする上記のバックライト組立体を提供する。
【０００９】
さらに、本発明は、前記発光光源が冷陰極蛍光管を含むことを特徴とする上記のバックライト組立体を提供する。
【００１０】
さらに、本発明は、前記発光光源が発光ダイオードを含むことを特徴とする上記のバックライト組立体を提供する。
【００１１】
さらに、本発明は、前記反射板の側壁部の形状が弧状であることを特徴とする上記のバックライト組立体を提供する。
【００１２】
さらに、本発明は、前記発光光源と前記反射板とを搭載するフレームを更に含むことを特徴とする上記のバックライト組立体を提供する。
【００１３】
さらに、本発明は、前記フレームが、前記反射板の上に設置されるベース部と、前記ベース部から延伸している支持構造体を提供する複数の側壁部と、を更に含むことを特徴とする上記のバックライト組立体を提供する。
【００１４】
さらに、本発明は、前記フレームの支持構造体上に設置され、反射板の面から反射された光線を受ける拡散板を更に含むことを特徴とする上記のバックライト組立体を提供する。
【００１５】
また、本発明は、液晶ディスプレイ用バックライト組立体であって、光線を放射する発光光源と、前記光線を反射する複数箇所において角度付された反射板と、前記反射板からの反射光を拡散させる拡散板とを含むことを特徴とする液晶ディスプレイ用バックライト組立体を提供する。
【００１６】
さらにまた、本発明は、上記の液晶ディスプレイ用バックライト組立体であって、前記複数箇所において角度付された反射板が、前記発光光源に略平行に配されたベース部と、前記ベース部から延伸する複数の側壁部とを含み、前記各側壁部が、前記ベース部に接合され、角度付された面を含み、前記光線を前記拡散板に反射させることを特徴とする液晶ディスプレイ用バックライト組立体を提供する。
【００１７】
さらにまた、本発明は、前記発光光源が蛍光管を含むことを特徴とする上記の液晶ディスプレイ用バックライト組立体を提供する。
【００１８】
さらにまた、本発明は、前記発光光源が冷陰極蛍光管を含むことを特徴とする上記の液晶ディスプレイ用バックライト組立体を提供する。
【００１９】
さらにまた、本発明は、前記発光光源が発光ダイオードを含むことを特徴とする上記の液晶ディスプレイ用バックライト組立体を提供する。
【００２０】
さらにまた、本発明は、ベース部が延在する方向と同一方向に延在している前記複数角度付された面が弧状の面を含むことを特徴とする上記の液晶ディスプレイ用バックライト組立体を提供する。
【００２１】
さらにまた、本発明は、前記発光光源と、前記反射板を搭載するフレームとを更に含む、ベース部が延在する方向と同一方向に延在している複数箇所において角度付された面を含むことを特徴とする上記の液晶ディスプレイ用バックライト組立体を提供する。
【００２２】
さらにまた、本発明は、前記フレームが、前記反射板上に設置されるベース部と、前記ベース部から延伸され、前記拡散板を支える複数の側壁部と、
を更に含むことを特徴とする上記の液晶ディスプレイ用バックライト組立体を提供する。
【００２３】
さらにまた、本発明は、前記拡散板の上に設置される複数の光学薄膜を更に含むことを特徴とする上記の液晶ディスプレイ用バックライト組立体を提供する。
【００２４】
さらにまた、本発明は、前記拡散板上に設置されたプリズムシートと、
前記プリズムシートの上に設置された拡散板と、を更に含むことを特徴とする上記の液晶ディスプレイ用バックライト組立体を提供する。
【００２５】
一の実施例では、前記複数の箇所で角度付けされた面は、無限の角度の面からなる。
【００２６】
他の実施例では、上記光源、反射板、及び拡散板が液晶ディスプレイ装置組立体を構成する。
【００２７】
更に、本発明は、光源と、前記放射光線を反射させる複数の箇所で角度付けされた反射板と、反射光を拡散させる拡散板と、を含む他の液晶ディスプレイ装置を提供する。
【００２８】
実施例では、前記反射板は、更に前記発光光源と略平行なベース部と、前記このベース部から延伸する複数の側壁部とを含み、前記側壁部は一面以上の角度の付けされた面を含み、当該面によって反射板の側壁部の面で前記放射光線特定の方向に向けて光を反射させる。
【００２９】
他の実施例では、前記複数の角度付けされた面は、無限の角度の面と弧状の面を更に含む。
【発明の効果】
【００３０】
本発明のバックライト組立体の反射板によれば、複数の箇所で角度付けされた側壁面と、無数に角付けされた面、又は弧状の面を有し、もって、従来のただ一つ角度付けされた構造において大きな角度α（反射光と拡散板とがなす角度）が引き起す問題を軽減することができ、最大の光束を提供することができる。
【発明を実施するための最良の形態】
【００３１】
本発明についての目的、特徴、長所が一層明確に理解されるよう、以下に実施形態を例示し、図面を参照にしながら、詳細に説明する。
【実施例】
【００３２】
図２は、本発明の一つの実施例に基づいた液晶ディスプレイ装置３０を示している。ここでは、液晶ディスプレイ装置３０は、実際の装置の比率に照らして描かれておらず、その中の異なる構成部品のサイズは、実際の状況に合わせて増減することができる。
【００３３】
図２を参照して液晶ディスプレイ装置３０を説明する。
【００３４】
液晶ディスプレイ装置３０は、画像表示をする液晶ディスプレイパネル３２と、液晶ディスプレイパネル３２を照らすバックライト組立体３４とを含む。バックライト組立体３４は、蛍光管３６と、反射板３８と、拡散板４０とを含む。本発明の実施例では、蛍光管３６は、冷陰極蛍光管を含む。反射板３８は、蛍光管３６からの放射光線を拡散板４０に向けて反射し、続いて反射光を液晶ディスプレイパネル３２に拡散する。本発明の他の実施例では、拡散板４０の材質はアクリル樹脂である。
【００３５】
反射板３８は、ベース部４２と、ベース部４２から延伸した複数の側壁部４４とを含む。側壁部４４は、断面が多角形を形成するように一以上の角度付けされた面（参照番号未記載）を含み、蛍光管３６から放射された発光光線をこの面とベース部４２とにより反射させ、特定方向に基づいて拡散板４０に向ける。上述の複数の角度付けされた面は、図１で述べた、ただ一つ角度付けされた構造において、過度に大きい角度αが引き起す問題を軽減する補助をする。
【００３６】
バックライト組立体は、通常、蛍光管３６と反射板３８とを搭載するフレーム４６を含む。このフレーム４６は、反射板３８が設置されたベース部４８とベース部４８から延伸された複数の側壁部５０とを含むことで支持構造を提供する。バックライト組立体３４は、また液晶ディスプレイパネル３２の拡散板４０上に形成された光学薄膜を照らすのに用いることができる。この光学薄膜は拡散板４０の上に形成されたプリズムシート５２とプリズムシート５２の上に形成された拡散板５４とを含む。
【００３７】
図２に示されたように、反射板３８は、例えば、二カ所角度付けされた面を有する側壁面を含む。しかし、その他の実施例では、反射板３８は、図３と図４に示されているように、二カ所の角度より多い側壁面を有する。図３を参照すると、反射板６０はベース部６２と三重角度の側壁面６４とを含む。次に、図４を参照すると、反射板７０はベース部７２と無限の角度の側壁面７４とを含む。よって、反射板７０は弧状面の側壁面を含む。
【００３８】
以上、本発明の好適な実施例を例示したが、当該実施例は本発明を限定するものではなく、本発明の精神及び範囲を逸脱しない限りにおいて、当業者であれば行い得る多少の変更や修正を加えることができる。従って、本発明により保護を請求する範囲は特許請求の範囲を基準とする。
【図面の簡単な説明】
【００３９】
【図１】従来のバックライト組立体の断面図である。
【図２】本発明の一の実施例に基づいた液晶ディスプレイ装置の断面図である。
【図３】本発明の一の実施例に基づいたバックライト組立体の断面図である。
【図４】本発明の一の実施例に基づいたバックライト組立体の断面図である。
【符号の説明】
【００４０】
１０、３４  バックライト組立体
１２、３６  蛍光管
１４、３８、６０、７０  反射板
１６、４０  拡散板
１８、４２、４８、６２、７２  ベース部
２０、４４、５０  側壁部
３０  液晶ディスプレイ装置
３２  液晶ディスプレイパネル
４６  フレーム
５２  プリズムシート
５４  拡散板
６４、７４  束壁面
θ  ベース部と側壁部とがなす角度
α  反射光と拡散板とがなす角度
【図１】
2005174910.tif 000003
【図２】
2005174910.tif 000004
【図３】
2005174910.tif 000005
【図４】
2005174910.tif 000006